(57)【要約】【課題】面積効率を低下させないような表示が可能な、新規かつ改良された表示装置を提供する。【解決手段】ユーザによる画面への接触又は近接を検出する検出部と、前記検出部による検出に基づいた表示制御を実行する表示制御部と、を備え、前記検出部は、前記画面に表示される操作体への接触又は近接を検出している間、前記画面における所定の範囲に対する検出のみを有効にし、前記表示制御部は、前記検出部が前記操作体への接触又は近接を検出している間、前記所定の範囲に対応する範囲を明示させる、表示装置が提供される。【選択図】図１
2015007949.tif 000002
【特許請求の範囲】
【請求項１】
ユーザによる画面への接触又は近接を検出する検出部と、
前記検出部による検出に基づいた表示制御を実行する表示制御部と、
を備え、
前記検出部は、前記画面に表示される操作体への接触又は近接を検出している間、前記画面における所定の範囲に対する検出のみを有効にし、
前記表示制御部は、前記検出部が前記操作体への接触又は近接を検出している間、前記所定の範囲に対応する範囲を明示させる、表示装置。
【請求項２】
前記表示制御部は、前記検出部が前記操作体への接触又は近接を検出している間、前記所定の範囲に対応する範囲と、該範囲以外の範囲とを区別して表示させる、請求項１に記載の表示装置。
【請求項３】
前記表示制御部は、前記画面に表示される操作体への接触又は近接を検出していない間は、前記操作体を縮小して前記画面に表示させる、請求項１に記載の表示装置。
【請求項４】
前記表示制御部は、前記検出部が前記操作体への近接を検出すると、縮小して表示させている前記操作体を拡大して前記画面に表示させる、請求項３に記載の表示装置。
【請求項５】
前記表示制御部は、前記検出部が前記操作体への接触又は近接を検出しなくなった際に、前記画面に表示される操作体への接触又は近接を検出していない場合の位置へ前記操作体を戻す表示制御を実行する、請求項１に記載の表示装置。
【請求項６】
前記表示制御部は、前記操作体により指定される値に応じて前記所定の範囲の位置を変化させる、請求項１に記載の表示装置。
【請求項７】
ユーザによる画面への接触又は近接を検出するステップと、
前記検出するステップによる検出に基づいた表示制御を実行するステップと、
を含み、
前記検出するステップでは、前記画面に表示される操作体への接触又は近接を検出している間、前記画面における所定の範囲に対する検出のみを有効にし、
前記表示制御を実行するステップでは、前記検出するステップで前記操作体への接触又は近接が検出されている間、前記所定の範囲に対応する範囲を明示させる、表示制御方法。
【請求項８】
コンピュータに、
ユーザによる画面への接触又は近接を検出するステップと、
前記検出するステップによる検出に基づいた表示制御を実行するステップと、
を含み、
前記検出するステップでは、前記画面に表示される操作体への接触又は近接を検出している間、前記画面における所定の範囲に対する検出のみを有効にし、
前記表示制御を実行するステップでは、前記検出するステップで前記操作体への接触又は近接が検出されている間、前記所定の範囲に対応する範囲を明示させる、コンピュータプログラム。
【発明の詳細な説明】
【技術分野】
【０００１】
本開示は、表示装置、表示制御方法及びコンピュータプログラムに関する。
【背景技術】
【０００２】
近年、スマートフォンと呼ばれる高機能携帯電話、タブレット端末と呼ばれるタッチパネルと表示装置とを備えた薄い板状の機器、ゲーム機等に代表されるように、優れた機能を有しながらも画面サイズがそれほど大きくはないディスプレイを備える機器が広く普及している。このような機器は、画面をユーザに指で触らせることで操作を受け付けるよう構成されている。
【０００３】
そしてこのような機器を、別の機器を遠隔操作するためのコントローラとして使用する技術が提案され、また実際に使用されている（例えば特許文献１等）。スマートフォンのような機器から別の機器を遠隔操作するためには、遠隔操作のための設定画面を表示し、ユーザに操作させるのが一般的である。
【先行技術文献】
【特許文献】
【０００４】
【特許文献１】特開２０１２−２５７０７４号公報
【発明の概要】
【発明が解決しようとする課題】
【０００５】
パーソナルコンピュータ（ＰＣ）で使用されるディスプレイのように大きな画面を有する表示装置の場合と同じように、スマートフォンのような比較的小さな画面を有する機器に設定画面を表示させると、画面の面積効率が大きく低下してしまう。つまり、ユーザに指などで触らせて操作させるために操作体が移動できる範囲を大きく確保すると、他の情報を表示する範囲が少なくなってしまう。
【０００６】
そこで本開示は、面積効率を低下させないような表示が可能な、新規かつ改良された表示装置、表示制御方法及びコンピュータプログラムを提供する。
【課題を解決するための手段】
【０００７】
本開示によれば、ユーザによる画面への接触又は近接を検出する検出部と、前記検出部による検出に基づいた表示制御を実行する表示制御部と、を備え、前記検出部は、前記画面に表示される操作体への接触又は近接を検出している間、前記画面における所定の範囲に対する検出のみを有効にし、前記表示制御部は、前記検出部が前記操作体への接触又は近接を検出している間、前記所定の範囲に対応する範囲を明示させる、表示装置が提供される。
【０００８】
また本開示によれば、ユーザによる画面への接触又は近接を検出するステップと、前記検出するステップでの検出に基づいた表示制御を実行するステップと、を含み、前記検出するステップでは、前記画面に表示される操作体への接触又は近接を検出している間、前記画面における所定の範囲に対する検出のみを有効にし、前記表示制御を実行するステップでは、前記検出するステップで前記操作体への接触又は近接が検出されている間、前記所定の範囲に対応する範囲を明示させる、表示制御方法が提供される。
【０００９】
また本開示によれば、コンピュータに、ユーザによる画面への接触又は近接を検出するステップと、前記検出するステップでの検出に基づいた表示制御を実行するステップと、を含み、前記検出するステップでは、前記画面に表示される操作体への接触又は近接を検出している間、前記画面における所定の範囲に対する検出のみを有効にし、前記表示制御を実行するステップでは、前記検出するステップで前記操作体への接触又は近接が検出されている間、前記所定の範囲に対応する範囲を明示させる、コンピュータプログラムが提供される。
【発明の効果】
【００１０】
以上説明したように本開示によれば、面積効率を低下させないような表示が可能な、新規かつ改良された表示装置、表示制御方法及びコンピュータプログラムを提供することが出来る。
【図面の簡単な説明】
【００１１】
【図１】本開示の一実施形態に係る表示装置１００の機能構成例を示す説明図である。
【図２】本開示の一実施形態に係る表示装置１００の動作例を示す説明図である。
【図３】表示装置１００の表示部１４０への画面表示例を示す説明図である。
【図４】表示装置１００の表示部１４０への画面表示例を示す説明図である。
【図５】表示装置１００の表示部１４０への画面表示例を示す説明図である。
【図６】表示装置１００の表示部１４０への画面表示例を示す説明図である。
【図７】表示装置１００の表示部１４０への画面表示例を示す説明図である。
【図８】表示装置１００の表示部１４０への画面表示例を示す説明図である。
【図９】表示装置１００の表示部１４０への画面表示例を示す説明図である。
【図１０】表示装置１００の表示部１４０への画面表示例を示す説明図である。
【図１１】表示装置１００の表示部１４０への画面表示例を示す説明図である。
【図１２】表示装置１００の表示部１４０への画面表示例を示す説明図である。
【図１３】表示装置１００の表示部１４０への画面表示例を示す説明図である。
【図１４】表示装置１００の表示部１４０への画面表示例を示す説明図である。
【図１５】表示装置１００の表示部１４０への画面表示例を示す説明図である。
【図１６】表示装置１００の表示部１４０への画面表示例を示す説明図である。
【図１７】表示装置１００の表示部１４０への画面表示例を示す説明図である。
【図１８】表示装置１００の表示部１４０への画面表示例を示す説明図である。
【図１９】表示装置１００の表示部１４０への画面表示例を示す説明図である。
【図２０】表示装置１００の表示部１４０への画面表示例を示す説明図である。
【図２１】表示装置１００の表示部１４０への画面表示例を示す説明図である。
【図２２】表示装置１００の表示部１４０への画面表示例を示す説明図である。
【図２３】表示装置１００の表示部１４０への画面表示例を示す説明図である。
【図２４】表示装置１００の表示部１４０への画面表示例を示す説明図である。
【図２５】表示装置１００の表示部１４０への画面表示例を示す説明図である。
【図２６】表示装置１００の表示部１４０への画面表示例を示す説明図である。
【図２７】表示装置１００の表示部１４０への画面表示例を示す説明図である。
【図２８】表示装置１００の表示部１４０への画面表示例を示す説明図である。
【図２９】表示装置１００のハードウェア構成例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
＜１．本開示の一実施形態＞
［表示装置の機能構成例］
［表示装置の動作例］
［表示装置の画面表示例］
＜２．ハードウェア構成例＞
＜３．まとめ＞
【００１４】
＜１．本開示の一実施形態＞
［表示装置の機能構成例］
まず、図面を参照しながら本開示の一実施形態に係る表示装置の機能構成例について説明する。図１は、本開示の一実施形態に係る表示装置１００の機能構成例を示す説明図である。以下、図１を用いて本開示の一実施形態に係る表示装置１００の機能構成例について説明する。
【００１５】
図１に示した本開示の一実施形態に係る表示装置１００は、例えばスマートフォンやタブレット端末、ゲーム機等のような、ユーザに画面を指等で触らせることで操作を受け付けるよう構成されたものである。図１に示したように、本開示の一実施形態に係る表示装置１００は、操作部１１０と、操作検出部１２０と、制御部１３０と、表示部１４０と、記憶部１５０と、通信部１６０と、を含んで構成される。
【００１６】
操作部１１０は、ユーザによる表示装置１００に対する操作を受け付ける。本実施形態においては、操作部１１０には、表示部１４０の表面に、または表示部１４０に一体となって設けられるタッチパネルが用いられても良い。また操作部１１０には、表示部１４０の表面に、または表示部１４０に一体となって設けられるタッチパネルに加えて、ハードキーやボタンが用いられても良い。操作部１１０に対して行われたユーザの操作は、操作検出部１２０で検出される。
【００１７】
以下の説明では、特に断りが無い限り、操作部１１０は表示部１４０の表面に、または表示部１４０に一体となって設けられるタッチパネルが含まれるものであるとして説明する。
【００１８】
操作検出部１２０は、操作部１１０に対して行われたユーザの操作の内容を検出する。例えばユーザが操作部１１０を指で触ったり、また指を一定距離未満に近づけたりすると、操作検出部１２０は、ユーザが指で触ったり、また指を近づけたりした位置の座標、触ったり近づけたりしている位置の変化量、変化の速度、触ったり近づけたりしている点の数等を検出しうる。操作検出部１２０は、操作部１１０に対して行われたユーザの操作の内容を検出すると、その検出の結果を制御部１３０に送る。
【００１９】
制御部１３０は、表示部１４０への文字、画像その他の情報の表示を制御する。制御部１３０は、操作検出部１２０から操作部１１０に対して行われたユーザの操作の内容の検出の結果を受け取ると、その検出の結果に基づき、表示部１４０への文字、画像その他の情報の表示を制御する。
【００２０】
制御部１３０による表示部１４０への表示の制御例については後に詳述するが、ここで簡単に説明する。ユーザに設定値を指定させるための図形（操作体）が表示部１４０の所定の場所に表示されている場合に、その図形が表示されている場所へのユーザの指の接触を操作検出部１２０が検出したとする。制御部１３０は、その図形が表示されている場所への接触に応じ、ユーザがその図形を接触した状態で操作可能な範囲を表示部１４０に明示させる。
【００２１】
そして操作検出部１２０は、その図形へのユーザの指の接触を検出した上で、その接触が続いていると、その図形に対する接触の有無のみを検出し、その他の場所への接触の検出は行わないようにする。
【００２２】
このように操作検出部１２０及び制御部１３０が動作することで、表示装置１００は、操作体によってユーザに操作させる際に、表示部１４０での情報表示の際に面積効率を低下させないような表示を可能にする。
【００２３】
表示部１４０は、文字、画像その他の情報を表示する。表示部１４０は、制御部１３０によって文字、画像その他の情報の表示が制御される。表示部１４０には、例えば液晶ディスプレイや有機ＥＬディスプレイ等が用いられ得る。そして上述したように、表示部１４０の表面に、または表示部１４０に一体となってタッチパネルが設けられ得る。
【００２４】
記憶部１５０は、様々な情報を記憶する。記憶部１５０が記憶する情報としては、例えば表示装置１００に対する設定値、表示装置１００で使用される文書データ、画像データ、楽曲データ等がある。記憶部１５０に記憶されている情報は、必要に応じて制御部１３０により読み出され、表示部１４０に表示され得る。また記憶部１５０には、制御部１３０の制御により情報が記憶され得る。
【００２５】
通信部１６０は、他の装置との間の通信を行なうインターフェースである。通信部１６０は、制御部１３０によって他の装置との間の通信が制御され得る。例えば、通信部１６０は、制御部１３０の制御により、記憶部１５０に記憶される情報を送信し得る。
【００２６】
本実施形態では、表示装置１００は、カメラ、マイク、スピーカ等を備えるテレビ会議システムの遠隔操作を行なうための設定画面を表示し、ユーザにその設定画面を操作させることでテレビ会議システムを遠隔操作することが可能なように構成される。通信部１６０は、設定画面によって指定された設定をテレビ会議システムに送信する。テレビ会議システムは、通信部１６０から送信された設定に基づいてカメラ、マイク、スピーカ等の状態を変更する。
【００２７】
以上、図１を用いて本開示の一実施形態に係る表示装置１００の機能構成例について説明した。続いて、本開示の一実施形態に係る表示装置１００の動作例について説明する。
【００２８】
［表示装置の動作例］
図２は、本開示の一実施形態に係る表示装置１００の動作例を示す流れ図である。図２に示した流れ図は、表示装置１００に表示される所定の図形（操作体）に対する操作が行われた際の動作例である。以下、図２を用いて本開示の一実施形態に係る表示装置１００の動作例について説明する。
【００２９】
操作検出部１２０は、表示部１４０に表示されている所定の図形（操作体）に対するユーザの指などの接触又は近接を検出すると（ステップＳ１０１）、操作体への接触又は近接に応じた所定の領域のみの操作を有効にする（ステップＳ１０２）。
【００３０】
また上記ステップＳ１０１で、表示部１４０に表示されている所定の図形（操作体）に対するユーザの指などの接触又は近接を操作検出部１２０が検出すると、制御部１３０は、その図形（操作体）により操作範囲を表示部１４０に明示する表示制御を行なう（ステップＳ１０３）。
【００３１】
ステップＳ１０２及びＳ１０３の処理を操作検出部１２０と制御部１３０が実行している際に、操作検出部１２０は、ユーザの指などが表示部１４０に表示されている所定の図形（操作体）から離れたかどうかを判断する（ステップＳ１０４）。
【００３２】
ユーザの指などが表示部１４０に表示されている所定の図形（操作体）から離れてない、または所定の距離未満近接していれば、ステップＳ１０２及びＳ１０３の処理は継続される。
【００３３】
一方、ユーザの指などが表示部１４０に表示されている所定の図形（操作体）から離れてない、または所定の距離以上離れていれば、操作検出部１２０は、表示部１４０のすべての領域に対する操作を有効にする（ステップＳ１０５）。また制御部１３０は、上記ステップＳ１０３で表示部１４０に表示させている、操作体による操作範囲の明示を解除する（ステップＳ１０６）。
【００３４】
本開示の一実施形態に係る表示装置１００は、このように動作することで、操作体によってユーザに操作させる際に、表示部１４０での情報表示の際に面積効率を低下させないような表示を可能にする。
【００３５】
以上、本開示の一実施形態に係る表示装置１００の動作例について説明した。続いて、上述のように構成されて動作する本開示の一実施形態に係る表示装置１００による具体的な画面表示例を説明する。
【００３６】
［表示装置の画面表示例］
図３は、表示装置１００の表示部１４０への画面表示例を示す説明図である。表示画面Ｄ１は、表示部１４０に表示される画面の一例である。ここでは、表示画面Ｄ１は、テレビ会議システムで用いられるカメラ、マイク、スピーカの設定を変更するための設定画面であるとして説明する。
【００３７】
そして図３には、操作体の一例であるハンドルＵ１が表示画面Ｄ１に表示されている様子が示されている。ハンドルＵ１は、テレビ会議システムで用いられるカメラの向きを変更するために使用する操作体であり、二次元の操作を受け付けることが出来るものであるとする。
【００３８】
このハンドルＵ１が表示されている場所に、表示装置１００のユーザが指等を接触させると、表示装置１００は、ハンドルＵ１に対する操作のみを有効にし、またハンドルＵ１の操作可能範囲を表示部１４０に明示する。
【００３９】
図４は、表示装置１００の表示部１４０への画面表示例を示す説明図である。図４に示したのは、図３に示した状態からハンドルＵ１にユーザが指を接触させた場合の表示画面Ｄ１の例である。符号１１は表示装置１００のユーザの手を示している。
【００４０】
ハンドルＵ１にユーザが指を接触させたことを操作検出部１２０が検出すると、図４に示したような表示画面Ｄ１が、制御部１３０によって表示部１４０に表示される。図４に示す表示画面Ｄ１には、ハンドルＵ１にユーザが指を接触させている間に、ハンドルＵ１の操作可能範囲Ｕ２が示されている。
【００４１】
また図４では、操作可能範囲Ｕ２以外の領域が暗転しているように表示部１４０に表示されている状態が示されている。従って、表示部１４０には、操作可能範囲Ｕ２と、操作可能範囲Ｕ２以外の領域とが、区別して表示されている。表示部１４０に表示される操作可能範囲Ｕ２以外の領域は、ユーザが指などを接触させた場合であっても操作検出部１２０はその接触を操作として検出しないようにする。
【００４２】
図５は、表示装置１００の表示部１４０への画面表示例を示す説明図である。図５に示したのは、図４に示した状態から、ユーザがハンドルＵ１に指を触れたままハンドルＵ１を右上方向に移動させた場合の表示画面Ｄ１の例である。ユーザがハンドルＵ１を操作することで、表示装置１００は、テレビ会議システムで用いられるカメラの向きを変更することが出来る。
【００４３】
図６は、表示装置１００の表示部１４０への画面表示例を示す説明図である。図６に示したのは、図５に示した状態から、ユーザがハンドルＵ１から指を離した場合の表示画面Ｄ１の例である。このようにユーザがハンドルＵ１から指を離すと、制御部１３０は、ハンドルＵ１を元の位置に戻すように表示部１４０に表示させる。ハンドルＵ１を元の位置に戻す際には、制御部１３０は、即座にハンドルＵ１を戻してもよく、アニメーションさせつつ戻してもよい。
【００４４】
図７及び図８は、表示装置１００の表示部１４０への画面表示例を示す説明図である。図７及び図８に示したのは、図６に示したようにユーザがハンドルＵ１から指を離した状態から、ハンドルＵ１が元の位置に戻るよう表示部１４０に表示される表示画面Ｄ１の例である。
【００４５】
ユーザがハンドルＵ１から指を離すと、制御部１３０は、図７及び図８に示すように、ハンドルＵ１が元の位置に向かって移動するように表示部１４０に表示させる。ハンドルＵ１が元の位置に向かって移動するように表示部１４０に表示させる際に、制御部１３０は、図７及び図８に示すように、ハンドルＵ１の操作可能範囲Ｕ２の表示及びハンドルＵ１の操作可能範囲Ｕ２以外の領域の表示を変化させる。図７には、ハンドルＵ１の操作可能範囲Ｕ２及びハンドルＵ１の操作可能範囲Ｕ２以外の領域の色が薄くなっていく様子が示されている。
【００４６】
そして図８に示したように、制御部１３０は、ハンドルＵ１の表示位置を元の位置に戻すと、ハンドルＵ１の操作可能範囲Ｕ２の表示を完全に消去させる。このように、制御部１３０がハンドルＵ１の表示位置を元の位置に戻した時点で、ハンドルＵ１の操作可能範囲Ｕ２の表示を完全に消去させることで、表示装置１００は、表示画面Ｄ１に表示されている、ハンドルＵ１を含んだ全ての領域に対する操作の受け付けが可能になったことをユーザに認識させることができる。
【００４７】
表示装置１００は、表示部１４０に表示されるハンドルＵ１をユーザに指で触って操作させることで、テレビ会議システムで用いられるカメラの方向を制御できる。この際、当該カメラで撮像される映像を、ハンドルＵ１の操作可能範囲Ｕ２に表示させても良い。
【００４８】
ここまでに示したのは、二次元の操作を可能にするハンドルＵ１にユーザが指などを接触させた状態の表示画面の例であったが、表示装置１００は、一次元の操作を可能にする操作体の場合にも同様な表示制御や操作検出制御を実行し得る。
【００４９】
図９は、表示装置１００の表示部１４０への画面表示例を示す説明図である。表示画面Ｄ２は、表示部１４０に表示される画面の一例である。ここでは、表示画面Ｄ２は、表示装置１００の内部設定を変更するための設定画面であるとして説明する。また図９には、表示画面Ｄ２に操作体の一例であるボタンＵ３ａ〜Ｕ３ｆが表示されている様子が示されている。
【００５０】
図１０は、表示装置１００の表示部１４０への画面表示例を示す説明図である。図１０に示したのは、図９に示した状態からボタンＵ３ｃにユーザが指を接触させた場合の表示画面Ｄ２の例である。符号１１は表示装置１００のユーザの手を示している。
【００５１】
ボタンＵ３ｃにユーザが指を接触させたことを操作検出部１２０が検出すると、制御部１３０によって図１０に示したような表示画面Ｄ２が表示部１４０に表示される。図１０に示す表示画面Ｄ２には、ボタンＵ３ｃにユーザが指を接触させている間にボタンＵ３ｃの操作可能範囲Ｕ４が示されている。
【００５２】
また図１０では、図１０に示した表示画面Ｄ２の場合と同様に、操作可能範囲Ｕ４以外の領域が暗転している様子が示されている。操作可能範囲Ｕ４以外の領域は、ユーザが指などを接触させた場合であっても操作検出部１２０はその接触を操作として検出しないようにする。
【００５３】
図１１は、表示装置１００の表示部１４０への画面表示例を示す説明図である。図１１に示したのは、図１０に示した状態から、ユーザがボタンＵ３ｃに指を触れたままボタンＵ３ｃを上方向に移動させた場合の表示画面Ｄ２の例である。ユーザがボタンＵ３ｃを操作することで、表示装置１００は、内部設定を変更することが出来る。また表示装置１００は、ユーザがボタンＵ３ｃを操作することで変更された表示装置１００の内部設定を記憶部１５０に記憶させることができる。
【００５４】
ユーザがボタンＵ３ｃに指を触れたままボタンＵ３ｃを移動させた場合、制御部１３０は、図１１に示したようにその移動に応じた設定値の変動等の情報を表示部１４０に表示させても良い。図１１には、ボタンＵ３ｃの移動に伴う設定値の変動を表示するバルーンＵ５が、制御部１３０の制御によって表示画面Ｄ２に表示されている例が示されている。制御部１３０の制御によってバルーンＵ５に表示される数字は、ユーザによるボタンＵ３ｃの操作に応じて変化し得る。
【００５５】
図１１ではユーザがボタンＵ３ｃに指を触れたままボタンＵ３ｃを移動させた場合にバルーンＵ５が表示部１４０に表示される例を示したが、もちろん他のボタンをユーザが操作した場合にも、同様にバルーンが表示部１４０に表示されてもよい。
【００５６】
図１２は、表示装置１００の表示部１４０への画面表示例を示す説明図である。図１２に示したのは、図１１に示した状態から、ユーザがボタンＵ３ｃから指を離した場合の表示画面Ｄ２の例である。このようにユーザがボタンＵ３ｃから指を離すと、制御部１３０は、ボタンＵ３ｃを元の位置に戻すように表示部１４０に表示させる。ボタンＵ３ｃを元の位置に戻す際には、制御部１３０は、即座にボタンＵ３ｃを戻してもよく、アニメーションさせつつ戻してもよい。
【００５７】
図１３及び図１４は、表示装置１００の表示部１４０への画面表示例を示す説明図である。図１３及び図１４に示したのは、図１２に示したようにユーザがボタンＵ３ｃから指を離した状態から、ボタンＵ３ｃが元の位置に戻るよう表示部１４０に表示される表示画面Ｄ２の例である。
【００５８】
ユーザがボタンＵ３ｃから指を離すと、制御部１３０は、図１３及び図１４に示すように、ボタンＵ３ｃが元の位置に向かって移動するように表示部１４０にボタンＵ３ｃを表示させる。ボタンＵ３ｃが元の位置に向かって移動するように表示部１４０にボタンＵ３ｃを表示させる際に、制御部１３０は、図１３及び図１４に示すように、ボタンＵ３ｃの操作可能範囲Ｕ４の表示及びボタンＵ３ｃの操作可能範囲Ｕ４以外の領域の表示を変化させる。図１３には、ボタンＵ３ｃの操作可能範囲Ｕ４の表示及びボタンＵ３ｃの操作可能範囲Ｕ４以外の領域の色が薄くなっていく様子が示されている。
【００５９】
そして図１４に示したように、制御部１３０は、ボタンＵ３ｃの表示位置を元の位置に戻すと、ボタンＵ３ｃの操作可能範囲Ｕ４の表示を完全に消去させる。このように、制御部１３０がボタンＵ３ｃの表示位置を元の位置に戻した時点で、ボタンＵ３ｃの操作可能範囲Ｕ４の表示を完全に消去させることで、表示装置１００は、表示画面Ｄ２に表示されている、ボタンＵ３ｃを含んだ全ての領域に対する操作の受け付けが可能になったことをユーザに認識させることができる。
【００６０】
図１０〜図１４に示した例では、ボタンＵ３ｃの操作可能範囲Ｕ４が縦で表示されていたが、本開示は係る例に限定されるものではない。図１５は、表示装置１００の表示部１４０への画面表示例を示す説明図である。図１５に示す表示画面Ｄ２には、ボタンＵ３ｃにユーザが指を接触させている間にボタンＵ３ｃの操作可能範囲Ｕ４’が示されている。ボタンＵ３ｃの操作可能範囲Ｕ４’は、図１０等に示したボタンＵ３ｃの操作可能範囲Ｕ４と違い、横方向に表示されている。
【００６１】
表示装置１００は、図１５に示すように画面の横方向に操作可能範囲Ｕ４’を表示させ、操作可能範囲Ｕ４’以外の領域は、ユーザが指などを接触させた場合であっても操作検出部１２０はその接触を操作として検出しないようにしてもよい。
【００６２】
ここまで示してきた例では、ユーザが指等を操作体（例えばハンドルＵ１やボタンＵ３ｃ）から離すと、操作体（ハンドルＵ１やボタンＵ３ｃ）を元の位置に戻すようにしていた。しかし、ユーザに操作体を用いて設定させる項目が相対的な値ではなく絶対値として指定されるものである場合には、表示装置１００は、ユーザが指等を操作体から離して操作体を元の位置に戻した後に、再度その操作体にユーザが指等を触れると、その操作体による操作可能範囲の表示位置を変化させても良い。
【００６３】
図１６は、表示装置１００の表示部１４０への画面表示例を示す説明図である。図１６に示す表示画面Ｄ１は、ハンドルＵ１及びハンドルＵ１の操作可能範囲Ｕ２を表示しており、ユーザが、ハンドルＵ１を操作可能範囲Ｕ２の右下部分へ移動させた状態を表示している。ここでは、ユーザにハンドルＵ１を用いて設定させる項目が絶対値として指定されるものであるとする。
【００６４】
図１６に示した状態でユーザが指をハンドルＵ１から離すと、上述したように、表示装置１００はハンドルＵ１を元の場所に移動させる。ハンドルＵ１が元の場所に戻った後に、ユーザが再びそのハンドルＵ１を指で触ると、表示装置１００は、図１６に示した状態でハンドルＵ１によって設定された値に基づいて、操作可能範囲Ｕ２を表示画面Ｄ１に表示させる。
【００６５】
図１７は、表示装置１００の表示部１４０への画面表示例を示す説明図である。図１７に示したのは、図１６に示した状態でハンドルＵ１によって値が設定され、図３の状態に戻った場合に、ハンドルＵ１にユーザが指を接触させたときの表示画面Ｄ１の例である。符号１１は表示装置１００のユーザの手を示している。
【００６６】
ハンドルＵ１にユーザが指を接触させた際には、表示装置１００は図１７に示したように、図１６に示した状態でハンドルＵ１によって設定された値に基づいて、操作可能範囲Ｕ２を表示画面Ｄ１に表示させる。すなわち表示装置１００は、ハンドルＵ１を中心に操作可能範囲Ｕ２を表示画面Ｄ１に表示させるのではなく、図１６に示したようなハンドルＵ１と操作可能範囲Ｕ２との位置関係を保って操作可能範囲Ｕ２を表示画面Ｄ１に表示させ得る。
【００６７】
このように、ハンドルＵ１によって設定された値に基づいて操作可能範囲Ｕ２を表示させることで、表示装置１００は、ユーザに現在の設定値を分かりやすく示すことが出来る。
【００６８】
操作体による操作可能範囲が一次元の場合であっても、表示装置１００は、設定値に応じて操作可能範囲を表示させ得る。
【００６９】
図１８は、表示装置１００の表示部１４０への画面表示例を示す説明図である。図１８に示す表示画面Ｄ２は、ボタンＵ３ａ〜Ｕ３ｆ及びボタンＵ３ｃの操作可能範囲Ｕ４を表示しており、ユーザが、ボタンＵ３ｃを操作可能範囲Ｕ４の下部分へ移動させた状態を表示している。ここでは、ユーザにボタンＵ３ｃを用いて設定させる項目が絶対値として指定されるものであるとする。
【００７０】
図１８に示した状態でユーザが指をボタンＵ３ｃから離すと、上述したように、表示装置１００はボタンＵ３ｃを元の場所に移動するよう表示させる。ボタンＵ３ｃが元の場所に戻った後に、ユーザが再びそのボタンＵ３ｃを指で触ると、表示装置１００は、図１８に示した状態でボタンＵ３ｃによって設定された値に基づいて、操作可能範囲Ｕ４を表示画面Ｄ２に表示させる。
【００７１】
図１９は、表示装置１００の表示部１４０への画面表示例を示す説明図である。図１９に示したのは、図１８に示した状態でボタンＵ３ｃによって値が設定され、図９の状態に戻った場合に、ボタンＵ３ｃにユーザが指を接触させたときの表示画面Ｄ２の例である。符号１１は表示装置１００のユーザの手を示している。
【００７２】
ボタンＵ３ｃにユーザが指を接触させた際には、表示装置１００は図１９に示したように、図１８に示した状態でボタンＵ３ｃによって設定された値に基づいて、操作可能範囲Ｕ４を表示画面Ｄ２に表示させる。すなわち表示装置１００は、ボタンＵ３ｃを中心に操作可能範囲Ｕ４を表示画面Ｄ１に表示させるのではなく、図１８に示したようなボタンＵ３ｃと操作可能範囲Ｕ４との位置関係を保って操作可能範囲Ｕ４を表示画面Ｄ２に表示させ得る。
【００７３】
このように、一次元の操作可能範囲Ｕ４の場合であっても、ボタンＵ３ｃによって設定された値に基づいて操作可能範囲Ｕ４を表示させることで、表示装置１００は、ユーザに現在の設定値を分かりやすく示すことが出来る。
【００７４】
表示装置１００は、ユーザが操作体に触れた場合に表示する操作体による操作可能範囲を、表示画面における操作体の位置に応じて変化させ得る。
【００７５】
図２０は、表示装置１００の表示部１４０への画面表示例を示す説明図である。図２０に示す表示画面Ｄ２は、ボタンＵ３ａ〜Ｕ３ｆ及びボタンＵ３ｃの操作可能範囲Ｕ４を表示している。図２０のように、ボタンＵ３ａ〜Ｕ３ｆが表示部１４０の下端に近い位置に表示されている場合は、制御部１３０は、表示画面Ｄ２へ操作可能範囲Ｕ４を短く表示させ得る。
【００７６】
上述してきた例では、操作体にユーザが指等を接触させた場合に、その操作体による操作可能範囲以外の領域を暗転させていたが、本開示は係る例に限定されない。
【００７７】
例えば、操作体が画像の明るさを変更させるためのものである場合は、制御部１３０は、操作可能範囲に加えてその画像以外の領域を暗転させても良い。操作体が画像の明るさを変更させるためのものである場合に、制御部１３０は、操作可能範囲に加えてその画像以外の領域を暗転させることで、ユーザに、当該画像の明るさの状態を見せながら、画像の明るさの設定を変化させることが可能になる。
【００７８】
図２１は、表示装置１００の表示部１４０への画面表示例を示す説明図である。図２１に示す表示画面Ｄ２は、ボタンＵ３ａ〜Ｕ３ｆ及びボタンＵ３ｃの操作可能範囲Ｕ４を表示している。また図２１に示す表示画面Ｄ２は、画像データＵ６も表示している。
【００７９】
図２１に示す表示画面Ｄ２で表示されているボタンＵ３ｃは、画像データＵ６の明るさを変更させるための操作体であるとする。この場合、ユーザが指等をボタンＵ３ｃに接触させると、制御部１３０は、操作可能範囲Ｕ４及び画像データＵ６以外の領域を暗転させる。そして制御部１３０は、ユーザが指等をボタンＵ３ｃに接触させた状態でボタンＵ３ｃを操作可能範囲Ｕ４に沿って動かす操作を実行すると、そのユーザの操作に合わせて画像データＵ６の明るさを変更させ得る。
【００８０】
このように、操作体が画像の明るさを変更させるためのものである場合、制御部１３０が操作体の操作可能範囲に加えてその画像以外の領域を暗転させることで、表示装置１００は、ユーザに設定内容を容易に把握させることができる。
【００８１】
操作検出部１２０が、ユーザの指がタッチパネルへ接触していることを検知していない場合は、制御部１３０は、操作体及びその操作体の操作可能範囲を縮小した状態で表示部に表示させても良い。
【００８２】
図２２は、表示装置１００の表示部１４０への画面表示例を示す説明図である。表示画面Ｄ１は、表示部１４０に表示される画面の一例である。図２２には、操作体の一例であるハンドルＵ１とハンドルＵ１の操作可能範囲Ｕ２とが縮小表示された操作体Ｕ１’が表示画面Ｄ１に表示されている様子が示されている。
【００８３】
操作検出部１２０が、操作体Ｕ１’が表示されている場所へのユーザの指の接触を検出すると、制御部１３０は、操作体Ｕ１’を拡大して表示部１４０に表示させる。すなわち、図２２の右側に示したように、操作検出部１２０が、操作体Ｕ１’が表示されている場所へのユーザの指の接触を検出すると、制御部１３０は、操作体Ｕ１’を拡大してハンドルＵ１とハンドルＵ１の操作可能範囲Ｕ２とを表示部１４０に表示させる。
【００８４】
このように、ハンドルＵ１とハンドルＵ１の操作可能範囲Ｕ２とを縮小表示させることで、表示装置１００は、操作体Ｕ１’に触らせる前であっても現在の設定値をユーザに対して提示することが出来る。
【００８５】
もちろん、操作体の操作可能範囲が一次元であっても、制御部１３０は、操作体及びその操作体の操作可能範囲を縮小した状態で表示部に表示させても良い。図２３は、表示装置１００の表示部１４０への画面表示例を示す説明図である。表示画面Ｄ２は、表示部１４０に表示される画面の一例である。図２３には、操作体の一例であるボタンと各ボタンの操作可能範囲とが縮小表示された操作体Ｕ３’が表示画面Ｄ２に表示されている様子が示されている。
【００８６】
操作検出部１２０が、操作体Ｕ３’が表示されている場所へのユーザの指の接触を検出すると、制御部１３０は、操作体Ｕ３’の内、ユーザが接触したボタン及びそのボタンによる操作可能範囲部分を拡大して表示部１４０に表示させ得る。
【００８７】
操作検出部１２０が、ユーザの指等のタッチパネルへの接触の他に、タッチパネルへの近接を検出できるものであれば、制御部１３０は、指等の近接を検出した場合と接触を検出した場合とで、操作体や操作可能範囲の表示態様を変化させても良い。
【００８８】
図２４は、表示装置１００の表示部１４０への画面表示例を示す説明図である。表示画面Ｄ１は、表示部１４０に表示される画面の一例である。図２４に示したのは、図２２の左側のように表示画面Ｄ１が表示されている場合に、ユーザが指などを操作体Ｕ１’に近づけた状態の表示例である。ユーザが指などを操作体Ｕ１’に近接させたことを操作検出部１２０が検出すると、図２４に示したように、制御部１３０は、操作体Ｕ１’を拡大表示させる。
【００８９】
このように、操作検出部１２０が指等の近接を検出した場合と接触を検出した場合とで、制御部１３０が操作体Ｕ１’の表示態様を変化させることで、表示装置１００は、ユーザに対して、その操作体Ｕ１’を指等で触った際に操作体Ｕ１’が拡大するものであることを提示することが出来る。
【００９０】
表示装置１００に表示される画面が、ユーザに他の装置を制御させるためのものであれば、表示装置１００は、操作体及び操作可能範囲を当該他の装置にも表示させることで、ユーザに表示装置１００ではなく当該他の装置を見ながら他の装置を制御させることが出来る。
【００９１】
図２５は、表示装置１００の表示部１４０への画面表示例及び表示装置１００から制御する装置での画面表示例を示す説明図である。図２５に示したのは、表示装置１００から制御する装置で、カメラで撮像される映像が表示される場合における画面表示例である。
【００９２】
例えば、ユーザへのタッチパネルへの指などの接触によって、表示装置１００の表示部１４０に操作体Ｕ１及び操作体Ｕ１の操作可能範囲Ｕ２を表示させている場合、表示装置１００から制御する装置にも、操作体Ｕ１及び操作体Ｕ１の操作可能範囲Ｕ２を表示させ得る。このように表示装置１００から制御する装置にも操作体Ｕ１及び操作可能範囲Ｕ２が表示されることで、ユーザは、手元の表示装置１００ではなく、表示装置１００から制御する装置を見ながら、表示装置１００を操作することが出来るようになる。
【００９３】
上述してきた例では、ユーザはいずれも１本の指で操作部１１０（タッチパネル）を操作する場合を示したが、本開示は係る例に限定されるものではない。ユーザが２本以上の指で操作部１１０（タッチパネル）に触れた場合も、表示装置１００は同様の検出制御及び表示制御を実行し得る。
【００９４】
そして表示装置１００は、ユーザが１本の指で操作部１１０（タッチパネル）に触れた場合と、２本以上の指で操作部１１０（タッチパネル）に触れた場合とで、異なる制御を実行しても良いし、同じ制御を実行しても良い。またユーザが最初は１本の指で操作部１１０（タッチパネル）に触れてから、操作部１１０（タッチパネル）に触れる指の数を増やした場合に、表示装置１００は、ユーザが指の数を増やす前と増やした後とで異なる制御を実行しても良いし、同じ制御を実行しても良い。
【００９５】
以下においては、ユーザが２本の指で操作部１１０（タッチパネル）に触れた場合の例を説明する。図２６は、表示装置１００の表示部１４０への画面表示例を示す説明図である。図２６に示す表示画面Ｄ１は、ハンドルＵ１及びハンドルＵ１の操作可能範囲Ｕ２を表示している。そして図２６は、ユーザが、ハンドルＵ１に対して２本の指を使ってピンチ操作（親指と人差指とを近づけたり離したりする操作）しようとしている様子を図示したものである。
【００９６】
このように表示画面Ｄ１に表示されるハンドルＵ１に対し、ユーザが２本の指を使ってピンチ操作した場合は、表示装置１００は、テレビ会議システムで使われるカメラにするズーム操作をユーザが行おうとしていると判断してもよい。そして表示装置１００は、ハンドルＵ１に対する２本の指のピンチ操作に応じて、テレビ会議システムで使われるカメラにするズーム指示を通信部１６０から送出しても良い。
【００９７】
図２７は、表示装置１００の表示部１４０への画面表示例を示す説明図である。図２７に示す表示画面Ｄ２には、操作体の一例であるボタンＵ３ａ〜Ｕ３ｆが表示されている。そして図２７は、ユーザが、ボタンＵ３ｃ及びボタンＵ３ｄに対してそれぞれ指を使って操作しようとしている様子を図示したものである。
【００９８】
このように表示画面Ｄ２に表示されるボタンＵ３ｃ及びボタンＵ３ｄに対し、ユーザがそれぞれ指を使って操作した場合は、表示装置１００は、ボタンＵ３ｃ及びボタンＵ３ｄの操作可能範囲Ｕ４を表示画面Ｄ２に表示するとともに、ボタンＵ３ｃ及びボタンＵ３ｄに対する操作のみを受け付けるよう制御する。
【００９９】
ユーザが同一の操作体に２本以上の指で触れた場合に、表示装置１００は、１本の指だけで触れた場合とは異なる尺度による制御を実行しても良い。例えば表示装置１００は、同じ操作量であっても、２本以上の指で触れた場合は、１本の指だけで触れた場合の半分の量で設定値を変化させるようにしても良い。
【０１００】
ここまでの例では、ユーザが操作体に触れた場合に、その操作体の操作可能範囲を表示すると共に、その操作体に対する操作以外の操作を無効とする制御を行なう表示装置１００について説明した。しかし本開示の一実施形態に係る表示装置１００は、操作体が表示されている位置に対してユーザがタッチ操作を行った後に、タッチを継続したまま操作可能範囲以外の場所を操作した場合にも、その操作を操作体に対する操作として受け付けても良い。
【０１０１】
例えば表示画面Ｄ２のようにボタンＵ３ｃの操作可能範囲Ｕ４を表示させる場合、上述の例では、表示装置１００は、ユーザにボタンＵ３ｃを指などで触らせた状態で操作可能範囲Ｕ４に沿ってその指などを移動させることでボタンＵ３ｃの操作を可能にしていた。しかし表示装置１００は、ユーザにボタンＵ３ｃを指などで触らせた状態であれば、画面のすべてを操作可能範囲にしてもよい。そして画面のすべてを操作可能範囲とする場合には、表示装置１００は、操作可能範囲Ｕ４との距離に応じて、ボタンＵ３ｃの移動による設定値を変化させても良い。
【０１０２】
図２８は、表示装置１００の表示部１４０への画面表示例を示す説明図である。図２７に示す表示画面Ｄ２には、操作体の一例であるボタンＵ３ａ〜Ｕ３ｆ及びボタンＵ３ｃの操作可能範囲Ｕ４が表示されている。そして図２８は、ユーザが、ボタンＵ３ｃに対して指を使って操作しようとしている様子を図示したものである。
【０１０３】
図２８は、ユーザがボタンＵ３を指で触った後に、その指を操作部１１０（タッチパネル）に触れたまま画面の右側に移動させた状態を図示している。この状態でユーザが指を上又は下方向、すなわちボタンＵ３ｃの操作可能範囲Ｕ４に沿った方向に移動させると、表示装置１００は、その移動に合わせてボタンＵ３ｃを移動させるよう表示しても良い。
【０１０４】
この場合、表示装置１００は、ユーザの指の移動量とボタンＵ３ｃの移動量とを一致させるが、ボタンＵ３ｃの移動による設定値の変動量は、操作可能範囲Ｕ４が表示されている位置でボタンＵ３ｃを移動させた場合に比べて大きく、または小さくしても良い。
【０１０５】
例えば、ユーザが指を右側に移動させてから指を上下させた場合は、表示装置１００は、ボタンＵ３ｃの移動による設定値の変動量を、操作可能範囲Ｕ４が表示されている位置でボタンＵ３ｃを移動させた場合に比べて大きくしてもよい。また、ユーザが指を左側に移動させてから指を上下させた場合は、表示装置１００は、ボタンＵ３ｃの移動による設定値の変動量を、操作可能範囲Ｕ４が表示されている位置でボタンＵ３ｃを移動させた場合に比べて小さくしてもよい。もちろん表示装置１００は、この逆のパターンでボタンＵ３ｃの移動による設定値の変動量を変化させても良い。
【０１０６】
＜２．ハードウェア構成例＞
上記の表示制御装置２００の動作は、例えば、図２９に示す情報処理装置のハードウェア構成を用いて実行することが可能である。つまり、表示装置１００の動作は、コンピュータプログラムを用いて図２９に示すハードウェアを制御することにより実現されてもよい。なお、このハードウェアの形態は任意であり、例えば、パーソナルコンピュータ、携帯電話、ＰＨＳ、ＰＤＡ等の携帯情報端末、ゲーム機、接触式又は非接触式のＩＣチップ、接触式又は非接触式のＩＣカード、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１０７】
図２９に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１０８】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１０９】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１１０】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１１１】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１１２】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１１３】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１１４】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は接触又は非接触通信用のデバイス等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１１５】
＜３．まとめ＞
以上説明したように本開示の一実施形態によれば、ユーザによる画面への接触又は近接を検出する操作検出部１２０と、操作検出部１２０による検出に基づいた表示制御を実行する制御部１３０と、を備える表示装置１００が提供される。そして係る表示装置１００では、操作検出部１２０は、画面に表示される操作体への接触又は近接を検出している間は、画面における所定の範囲に対する検出のみを有効にし、制御部１３０は、操作検出部１２０が操作体への接触又は近接を検出している間、所定の範囲に対応する範囲を明示させる。
【０１１６】
本開示の一実施形態に係る表示装置１００は、上述のような構成を有することで、ユーザに操作させる画面における面積効率を高めることが出来る。すなわち表示装置１００は、ユーザが画面に触れていない場合は操作体のみを表示させ、ユーザが操作体に触れている、または指などを操作体に近接させている場合に、その操作体による操作可能範囲を表示させることで、ユーザに操作させる画面における面積効率が高まる。
【０１１７】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１１８】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１１９】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２０】
例えば、ユーザが指などをハンドルＵ１に接触させると、制御部１３０は表示部１４０へ操作範囲Ｕ２を表示させるが、その際に制御部１３０は、テレビ会議システムにおいて用いられるカメラで撮像されている映像を、操作範囲Ｕ２に表示させるようにしてもよい。
【０１２１】
なお、本技術は以下のような構成も取ることができる。
（１）
ユーザによる画面への接触又は近接を検出する検出部と、
前記検出部による検出に基づいた表示制御を実行する表示制御部と、
を備え、
前記検出部は、前記画面に表示される操作体への接触又は近接を検出している間、前記画面における所定の範囲に対する検出のみを有効にし、
前記表示制御部は、前記検出部が前記操作体への接触又は近接を検出している間、前記所定の範囲に対応する範囲を明示させる、表示装置。
（２）
前記表示制御部は、前記検出部が前記操作体への接触又は近接を検出している間、前記所定の範囲に対応する範囲と、該範囲以外の範囲とを区別して表示させる、前記（１）に記載の表示装置。
（３）
前記表示制御部は、前記画面に表示される操作体への接触又は近接を検出していない間は、前記操作体を縮小して前記画面に表示させる、前記（１）または（２）に記載の表示装置。
（４）
前記表示制御部は、前記検出部が前記操作体への近接を検出すると、縮小して表示させている前記操作体を拡大して前記画面に表示させる、前記（３）に記載の表示装置。
（５）
前記表示制御部は、前記検出部が前記操作体への接触又は近接を検出しなくなった際に、前記画面に表示される操作体への接触又は近接を検出していない場合の位置へ前記操作体を戻す表示制御を実行する、前記（１）〜（４）のいずれかに記載の表示装置。
（６）
前記表示制御部は、前記操作体により指定される値に応じて前記所定の範囲の位置を変化させる、前記（１）〜（５）のいずれかに記載の表示装置。
（７）
ユーザによる画面への接触又は近接を検出するステップと、
前記検出するステップによる検出に基づいた表示制御を実行するステップと、
を含み、
前記検出するステップでは、前記画面に表示される操作体への接触又は近接を検出している間、前記画面における所定の範囲に対する検出のみを有効にし、
前記表示制御を実行するステップでは、前記検出するステップで前記操作体への接触又は近接が検出されている間、前記所定の範囲に対応する範囲を明示させる、表示制御方法。
（８）
コンピュータに、
ユーザによる画面への接触又は近接を検出するステップと、
前記検出するステップによる検出に基づいた表示制御を実行するステップと、
を含み、
前記検出するステップでは、前記画面に表示される操作体への接触又は近接を検出している間、前記画面における所定の範囲に対する検出のみを有効にし、
前記表示制御を実行するステップでは、前記検出するステップで前記操作体への接触又は近接が検出されている間、前記所定の範囲に対応する範囲を明示させる、コンピュータプログラム。
【符号の説明】
【０１２２】
１００    表示装置
１１０    操作部
１２０    操作検出部
１３０    制御部
１４０    表示部
１５０    記憶部
１６０    通信部
【図１】
2015007949.tif 000003
【図２】
2015007949.tif 000004
【図３】
2015007949.tif 000005
【図４】
2015007949.tif 000006
【図５】
2015007949.tif 000007
【図６】
2015007949.tif 000008
【図７】
2015007949.tif 000009
【図８】
2015007949.tif 000010
【図９】
2015007949.tif 000011
【図１０】
2015007949.tif 000012
【図１１】
2015007949.tif 000013
【図１２】
2015007949.tif 000014
【図１３】
2015007949.tif 000015
【図１４】
2015007949.tif 000016
【図１５】
2015007949.tif 000017
【図１６】
2015007949.tif 000018
【図１７】
2015007949.tif 000019
【図１８】
2015007949.tif 000020
【図１９】
2015007949.tif 000021
【図２０】
2015007949.tif 000022
【図２１】
2015007949.tif 000023
【図２２】
2015007949.tif 000024
【図２３】
2015007949.tif 000025
【図２４】
2015007949.tif 000026
【図２５】
2015007949.tif 000027
【図２６】
2015007949.tif 000028
【図２７】
2015007949.tif 000029
【図２８】
2015007949.tif 000030
【図２９】
2015007949.tif 000031